(57)【要約】【課題】本発明の課題は、携帯端末からデータが流出するのを抑制できる携帯端末の保護ケース及びコネクタを提供することにある。【解決手段】ケース１は、携帯端末２を表面と裏面の両側から挟み込むようして組み付けられる第１及び第２ケース７、８を備える。両ケース７、８は、矩形板状の携帯端末２の外周４辺を内側に入り込ませる矩形状枠部１０を備え、両ケース７、８の組付け状態で、コネクタ挿入部５の一部を覆う位置において、両ケース７、８の矩形状枠部１０の互いに対応する部位から、携帯端末２の厚さ方向に突起部がその厚さ方向の中間部まで対向してそれぞれ突出し、各突起１６の先端が互いに突き合わされるか近接するか係合するかして携帯端末２の厚さ方向に延びる、コネクタ挿入部５の特定部位に対する覆い部１７を形成し、その特定部位以外のコネクタ挿入部５に対してはコネクタ挿入部５の機能を部分的に残存させる非覆い部１８が両ケース７、８に形成される。【選択図】図１
2013187739.tif 000002
【特許請求の範囲】
【請求項１】
コネクタを経由してデータ通信可能な、コネクタ挿入部を有する携帯端末に装備された状態でその携帯端末の操作が可能となる携帯端末の保護ケースであって、
その携帯端末の保護ケースは、前記携帯端末に装備された状態で前記コネクタ挿入部の一部を覆うとともに、前記コネクタ挿入部に配置した接続端子の一部を露出させる限定差込開口を備え、
その限定差込開口から前記コネクタ挿入部に挿入可能な専用コネクタのみが、前記コネクタ挿入部の前記接続端子の一部に接続可能となることを特徴とする携帯端末の保護ケース。
【請求項２】
前記接続端子は、前記携帯端末からのデータを経由する通信端子を有し、前記携帯端末の保護ケースは、前記コネクタ挿入部における前記通信端子を遮蔽する請求項１に記載の携帯端末の保護ケース。
【請求項３】
前記接続端子は、前記携帯端末を充電する電源と前記携帯端末とを接続する充電端子を有し、前記携帯端末の保護ケースは前記コネクタ挿入部における前記充電端子を露出させる請求項１又は２に記載の携帯端末の保護ケース。
【請求項４】
前記携帯端末の保護ケースは、前記携帯端末を挟んだ状態で保持する第１ケース及び第２ケースを有し、
前記第１ケース及び前記第２ケースが前記携帯端末を挟んで互いに締結されることで、前記限定差込開口が形成される請求項１ないし３のいずれか１項に記載の携帯端末の保護ケース。
【請求項５】
矩形板状で表面側に操作部を有し、矩形板状の厚さ方向の一端面にコネクタ挿入部を備えた携帯端末を保護する携帯端末の保護ケースであって、
その保護ケースは、前記携帯端末を表面と裏面の両側から挟み込むようして組み付けられる第１ケース及び第２ケースを備え、
前記第１ケース及び第２ケースは、矩形板状の携帯端末の外周４辺を内側に入り込ませる矩形状枠部を備え、両ケースの組付け状態で、前記コネクタ挿入部の一部を覆う位置において、前記第１ケース及び第２ケースの矩形状枠部の互いに対応する部位から、携帯端末の厚さ方向に突起部がその厚さ方向の中間部まで対向してそれぞれ突出するとともに、各突起の先端が互いに突き合わされるか近接するか係合するかして前記携帯端末の厚さ方向に延びる、前記コネクタ挿入部の特定部位に対する覆い部を形成し、その特定部位以外の前記コネクタ挿入部に対しては該コネクタ挿入部の機能を部分的に残存させる非覆い部が前記第１及び第２ケースに形成されることを特徴とする携帯端末の保護ケース。
【請求項６】
前記第１及び第２ケースは、長辺部及び短辺部を有する矩形状枠部を有し、その矩形状枠部の長辺部及び短辺部より厚みが大きいブロック状の固定角部を該矩形状枠部の４つの角部に備え、前記第１及び第２ケースの互いに対応する４つの角部には前記携帯端末の厚さ方向の貫通孔が同軸状に形成され、それら４つの角部の同軸状の各貫通孔に軸状の締結部材がそれぞれ挿通されて固定されることにより、前記第１及び第２ケースが前記携帯端末を挟んで前記締結部材の破壊又は特殊治具の使用以外では分離不能に一体化される請求項５に記載の携帯端末の保護ケース。
【請求項７】
前記第１及び第２ケースの矩形状枠部は、前記携帯端末の外周縁を着座させる矩形状の凹部を長辺部及び短辺部にわたって有し、前記覆い部を構成する各突起部は前記短辺部の中間位置に形成されている請求項６に記載の携帯端末の保護ケース。
【請求項８】
前記携帯端末の表面側に対向する第１ケースの矩形状枠部の内側領域は前記携帯端末の前記操作部を露出させる開口とされ、
前記携帯端末の裏面側に対向する第２ケースの矩形状枠部の内側領域は前記携帯端末の裏面を露出させる開口とされるかその裏面を覆う板部とされている請求項６又は７に記載の携帯端末の保護ケース。
【請求項９】
請求項５ないし８の何れか１項において、前記第１及び第２ケースによって形成される覆い部を回避し、それらケースの前記非覆い部に対応する前記コネクタ挿入部の部位にのみ挿入可能なことを特徴とするコネクタ。
【発明の詳細な説明】
【技術分野】
【０００１】
本発明は、携帯端末に装着した状態で、その携帯端末の操作が可能となる携帯端末の保護ケースに関する。
【背景技術】
【０００２】
携帯端末に装着した状態で、その携帯端末の操作ができる携帯端末ケースが知られる（特許文献１）。
【先行技術文献】
【特許文献】
【０００３】
【特許文献１】特開平１１−１９２１１６号公報
【発明の概要】
【発明が解決しようとする課題】
【０００４】
しかし、携帯端末にコネクタが差し込めるように携帯端末ケースに開口が備わるため、コネクタを利用して携帯端末からデータを不正取得することが可能であり、携帯端末からデータが流出することが懸念される。
【０００５】
本発明の課題は、携帯端末からデータが流出するのを抑制できる携帯端末の保護ケース及びコネクタを提供することにある。
【課題を解決するための手段および発明の効果】
【０００６】
上記課題を解決するために本発明の携帯端末の保護ケースは、
コネクタを経由してデータ通信可能な、コネクタ挿入部を有する携帯端末に装備された状態でその携帯端末の操作が可能となる携帯端末の保護ケースであって、
その携帯端末の保護ケースは、携帯端末に装備された状態でコネクタ挿入部の一部を覆うとともに、コネクタ挿入部に配置した接続端子の一部を露出させる限定差込開口を備え、
その限定差込開口からコネクタ挿入部に挿入可能な専用コネクタのみが、コネクタ挿入部の接続端子の一部に接続可能となることを特徴とする。
【０００７】
また、上記課題を解決するために本発明の携帯端末の保護ケースは、
矩形板状で表面側に操作部を有し、矩形板状の厚さ方向の一端面にコネクタ挿入部を備えた携帯端末を保護する携帯端末の保護ケースであって、
その保護ケースは、携帯端末を表面と裏面の両側から挟み込むようして組み付けられる第１ケース及び第２ケースを備え、
第１ケース及び第２ケースは、矩形板状の携帯端末の外周４辺を内側に入り込ませる矩形状枠部を備え、両ケースの組付け状態で、コネクタ挿入部の一部を覆う位置において、第１ケース及び第２ケースの矩形状枠部の互いに対応する部位から、携帯端末の厚さ方向に突起部がその厚さ方向の中間部まで対向してそれぞれ突出するとともに、各突起の先端が互いに突き合わされるか近接するか係合するかして携帯端末の厚さ方向に延びる、コネクタ挿入部の特定部位に対する覆い部を形成し、その特定部位以外のコネクタ挿入部に対しては該コネクタ挿入部の機能を部分的に残存させる非覆い部が第１及び第２ケースに形成されることを特徴とする。
【０００８】
本発明の携帯端末の保護ケースは、限定差込開口又は覆い部を形成して、汎用コネクタがコネクタ挿入部に挿入されるのを防ぎ、携帯端末からデータが流出するのを抑制できる。
【図面の簡単な説明】
【０００９】
【図１】携帯端末とその携帯端末のケースを示す斜視図。
【図２Ａ】図１のケースの分解斜視図。
【図２Ｂ】図１のＡ−Ａ模式断面図。
【図３】携帯端末にケースを装着する方法を説明する斜視図。
【図４】携帯端末にケースを装着した状態を示す斜視図。
【図５】携帯端末に装着されたケースの正面図。
【図６】ケースが装着された携帯端末に専用コネクタが挿入された状態を示す斜視図。
【図７】図６のＢ−Ｂ模式断面図。
【図８】本発明のケースの変形例１を示す斜視図。
【図９】本発明のケースの変形例２を示す模式図。
【図１０】本発明のケースの変形例３を示す模式図。
【発明を実施するための形態】
【００１０】
本発明のケース１は携帯端末２に装着される携帯端末２の保護ケース１である。携帯端末２は、図１に示すように、矩形板状で表面２ａ側に操作部３を有し、矩形板状の厚さ方向に形成される予め定められた所定の一端面４（１つの側面）にコネクタ挿入部５を備え、コネクタ挿入部５に接続端子が配置される。接続端子は、データ通信を行う機器と携帯端末２とを接続する通信端子と、携帯端末２を充電する電源と携帯端末２とを接続する充電端子を備える。よって、コネクタ挿入部５を通して接続端子に接続できる汎用コネクタ６を用いて携帯端末２との通信や携帯端末２の充電が可能となる。ケース１は、第１ケース７と第２ケース８を備える。第１ケース７が携帯端末２の表面２ａ側、第２ケース８が携帯端末２の裏面２ｂ側となるように、第１及び第２ケース７、８が組み付けられる。第１及び第２ケース７、８は、金属製のもの例えば、アルミニウム板又はブロック素材から削り出した一体アルミニウム品を採用することができる。
【００１１】
図２Ａは、ケース１の分解図を示し、図２Ｂは、図１のＡ−Ａ模式断面図を示す。図２Ａに示すようにケース１は、第１及び第２ケース７、８と第１及び第２ケース７、８を締結する締結部材９を備える。第１及び第２ケース７、８は、長辺部１１及び短辺部１２を有する矩形状枠部１０と、長辺部１１と短辺部１２を接続する角部（固定角部１３）を有する。図２Ｂに示すように矩形状枠部１０は、携帯端末２の外周４辺を内部に入り込ませる。第１ケース７は、携帯端末２の両面（裏表）を両ケース７、８で挟み組付けた際、矩形状枠部１０の内側領域に、携帯端末２の操作部３を露出させる開口７ａを有する。第２ケース８は、携帯端末２の裏面２ｂ側に対向する第２ケース８の矩形状枠部１０の内側領域に携帯端末２の裏面２ｂを露出させる開口８ａ、又は、図８に示すように携帯端末２の裏面２ｂを覆う板部８ｂを備え、板部８ｂによりケース１の強度を高めることができる。
【００１２】
第１及び第２ケース７、８の角部は、矩形状枠部１０の４つの角に長辺部１１及び短辺部１２より厚みが大きいブロック状の固定角部１３を備える。図２Ｂに示すように、矩形状枠部１０は、携帯端末２の外周縁を着座又は保持させる矩形状の凹部１５が備わる。凹部１５は矩形状枠部１０の長辺部１１及び短辺部１２にわたり、形成される。図３は第２ケース８の凹部１５に携帯端末２を着座させた斜視図である。着座した携帯端末２のコネクタ挿入部５側の短辺部１２の中間位置には、携帯端末２の厚さ方向の中間部まで先端が突出する突起１６を備える。突起１６は、第１及び第２ケース７、８における矩形状枠部１０において互いに対応する部位（短辺部１２）に形成される。
【００１３】
図２Ａ及び図３に示すように、第１及び第２ケース７、８の組付けの際に互いに対応する４つの角部に、貫通孔１９が形成される。貫通孔１９は、第１及び第２ケース７、８が携帯端末２を挟んだ場合において携帯端末２の厚さ方向に形成され、かつ、第１及び第２ケース７、８の貫通孔１９が同軸状に形成される。そのため、角部の同軸状の各貫通孔１９に軸状の締結部材９がそれぞれ挿通され、第１及び第２ケース７、８が固定される。また、貫通孔１９は、固定角部１３に形成されるため、強固に固定できる。締結部材９は、頭部９ａと脚部９ｂを備え、脚部９ｂが第１及び第２ケース７、８の同軸状の貫通孔１９に挿入され、脚部９ｂの先端がかしめられることにより、このかしめ部と頭部９ａとの間で第１及び第２ケース７、８の固定角部１３を強固に締結する。この締結を解消するには締結部材９のかしめ部又は頭部９ａを破壊しなければならず、事実上分解は困難である。
【００１４】
第１及び第２ケース７、８の固定については、携帯端末２の用途に応じて固定方法を変えるができる。具体的には、管理者が使用者に携帯端末２を貸し与え、携帯端末２にデータを収集させ、その後、携帯端末２を回収して、管理者がデータを管理する場合は、上述のように第１及び第２ケース７、８が携帯端末２を挟んで締結部材９の破壊又は特殊治具の使用以外では分離不能に一体化することが有効となる。この場合に使用者が両ケース７、８を取外すと、再度、両ケース７、８の締結が困難となり、ケース１の取外しを判断でき、汎用コネクタ６で携帯端末２からデータを抜き出した可能性のある使用者を特定できる。その結果、携帯端末２から使用者が不正にデータを取り出すことを抑制できる。また、締結部材９をかしめ締結部、締結部材９を特殊ネジ（無理やりに特殊ネジを緩めると特殊ネジに傷が残るネジ）にすることで、携帯端末２の回収時に管理者がケース１を確認することで、使用者の不正使用の意図が把握できる。
【００１５】
図４は、携帯端末２に第１及び第２ケース７、８の両ケースを組付けた状態を示す斜視図である。図５は、図４の正面図である。図４、図５に示すように、第１及び第２ケース７、８によりコネクタ挿入部５の一部を覆うとともに、コネクタ挿入部５に配置した接続端子の一部を露出させる限定差込開口が形成される。具体的には、第１及び第２ケース７、８におけるコネクタ挿入部５側の短辺部１２において、各突起１６の先端が互いに突き合わされて突起１６が携帯端末２の厚さ方向に延びることにより、コネクタ挿入部５の特定部位に対する覆い部１７が形成される。その特定部位以外のコネクタ挿入部５に対しては、コネクタ挿入部５の機能を部分的に残存させる非覆い部１８が、第１及び第２ケース７、８の組付けで形成される。つまり、ケース１を装着した携帯端末２のコネクタ挿入部５の一部を架橋するようにして覆う梁状の覆い部１７が形成される。第１及び第２ケース７、８の２部材を共通部材として、かつ、各突起１６により覆い部１７を容易に形成することができる。汎用コネクタ６を使用しようとしても、覆い部１７を破壊しないと挿入できず、この破壊は通常のユーザーはしないだろうから、汎用コネクタ６の挿入を阻止できる。そのため、携帯端末２の通信端子への接続を遮断し、携帯端末２からデータが流出するのを防止できる。他方、コネクタ挿入部５に配置される充電端子を露出させ、携帯端末２の充電機能を残存させるよう非覆い部１８が形成される。よって、外部電源から携帯端末２へ充電を行うことができる。もし、覆い部１７が破壊された場合は、携帯端末２の不正使用を把握できる。
【００１６】
図６は、ケース１を装着した携帯端末２に専用コネクタ１９が挿入された状態を示す斜視図であり、図７は、図６のＢ−Ｂ模式断面図である。専用コネクタ１９は、第１及び第２ケース７、８によって形成される覆い部１７を回避し、ケース７、８の非覆い部１８に対応するコネクタ挿入部５の部位（限定差込開口）にのみ挿入可能なコネクタである。専用コネクタ１９がコネクタ挿入部５に挿入されることで、専用コネクタ１９の端子２０が、コネクタ挿入部５の接続端子の一部に接続する（図７）。具体的には、専用コネクタ１９は、コネクタ挿入部５に配置された充電端子のみと接続し、通信端子とは接続しない。つまり、専用コネクタ１９の端子２０は、データ通信を行う機器と携帯端末２とを接続する通信端子を有さず、携帯端末２を充電する電源と携帯端末２とを接続する充電端子のみを有する。よって、携帯端末２からデータの流出を防止し、携帯端末２を継続して使用可能となる。
【００１７】
図５のＣ−Ｃ模式断面図を示す図９（Ａ）に示すように、上記実施例は、第１及び第２ケース７、８におけるコネクタ挿入部５側の短辺部１２において各突起１６が互いに突き合わされる実施形態であったが、図９（Ｂ）に示すように、第１及び第２ケース７、８における各突起１６の間隔を有して近接させてもよい。近接させて間隔を残すことで、製造誤差や組付け域の誤差をこの間隔で吸収するから、組付けが容易となる。また、図９（Ｃ）に示すように、第１及び第２ケース７、８における各突起１６を係合させてもよい。係合させることで第１及び第２ケース７、８の突起１６を一体にして覆い部１７の強度を高めることができる。
【００１８】
図１０は、携帯端末２の保護ケース１の覆い部１７の拡大模試図を示す。図１０（Ａ）に示すように、上記実施例では、第１及び第２ケース７、８におけるコネクタ挿入部５側の短辺部１２にそれぞれ各突起１６が形成され、これらが互いに突き合わされた覆い部１７であったが、図１０（Ｂ）及び（Ｃ）に示すように、第１、第２ケース７、８の一方の矩形状枠部１０には突起１６を形成せず、他方の矩形状枠部１０の短辺部１２から携帯端末２の厚さ方向の上部又は下部まで突出する突起１６を形成し、該突起１６の先端が他方の矩形状枠部１０の短辺部１２に突き合わされ又は近接してもよい。この場合、１つの突起１６で覆い部１７を形成できる。また、図１０（Ｄ）に示すように、両ケース７、８に突起１６を形成する場合においても、突起１６の先端を互いに短辺部１２の辺方向にずらして形成してもよい。この場合、コネクタ挿入部５を覆う部分を可変可能となる。更に、図１０（Ｅ）に示すように、矩形状枠部１０の短辺部１２から携帯端末２の厚さ方向の上部（下部でもよい）まで突出する突起１６を、他方の矩形状枠部１０の短辺部１２に重なるように形成することもできる。なお、携帯端末２の長辺部１１にコネクタ挿入口５が形成される場合には、突起１６はその長辺部１１に設けることとなる。
【００１９】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００２０】
１    ケース              ２    携帯端末
５    コネクタ挿入部      ７    第１ケース
８    第２ケース          １０  矩形状枠部
１６  突起
【図１】
2013187739.tif 000003
【図２Ａ】
2013187739.tif 000004
【図２Ｂ】
2013187739.tif 000005
【図３】
2013187739.tif 000006
【図４】
2013187739.tif 000007
【図５】
2013187739.tif 000008
【図６】
2013187739.tif 000009
【図７】
2013187739.tif 000010
【図８】
2013187739.tif 000011
【図９】
2013187739.tif 000012
【図１０】
2013187739.tif 000013